【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
ユーザが視聴するターゲットショートビデオを取得するステップと、
前記ターゲットショートビデオのビデオフィンガープリント特徴と候補ロングビデオのビデオフィンガープリント特徴とに基づいて、前記候補ロングビデオから、前記ターゲットショートビデオが切り取られたターゲットロングビデオを認識するステップと、
ユーザに前記ターゲットロングビデオを推奨するステップと、
を含むビデオ推奨方法。
【請求項２】
前記ユーザに前記ターゲットロングビデオを推奨するステップが、
前記ターゲットショートビデオを再生するための再生ページに前記ターゲットロングビデオの提示情報を表示するステップを含み、前記提示情報が、前記ターゲットロングビデオの識別子、前記ターゲットロングビデオのリソースリンク、及び前記ターゲットロングビデオが属するロングビデオ集合の識別子のうちの少なくとも一つを含む請求項１に記載のビデオ推奨方法。
【請求項３】
前記ターゲットロングビデオの提示情報を表示するステップの後に、
ユーザが前記ターゲットロングビデオの提示情報に対してターゲット操作を実行することが検出された場合、前記ターゲットロングビデオを再生するように、前記ターゲットロングビデオを再生するための再生ページを表示するステップを含む請求項２に記載のビデオ推奨方法。
【請求項４】
前記ターゲットショートビデオを再生するための再生ページに前記ターゲットロングビデオの提示情報を表示するステップが、
前記再生ページに前記ターゲットショートビデオをフルスクリーンモードで再生する場合、前記再生ページにフローティングコントロールを表示するステップであって、前記フローティングコントロールは、前記ターゲットロングビデオの提示情報を表示し、ユーザが実行したターゲット操作に応答するように構成されるステップと、
前記再生ページに一部の表示領域を用いて前記ターゲットショートビデオを再生する場合、前記再生ページに別の一部の表示領域を用いて前記提示情報を表示するステップと、
を含む請求項２又は３に記載のビデオ推奨方法。
【請求項５】
前記ターゲットショートビデオのビデオフィンガープリント特徴と候補ロングビデオのビデオフィンガープリント特徴とに基づいて、前記候補ロングビデオから、前記ショートビデオが切り取られたターゲットロングビデオを認識するステップが、
複数の候補ロングビデオのビデオフィンガープリント特徴を含む特徴インデックスライブラリを取得するステップであって、前記ビデオフィンガープリント特徴は、画像特徴及び/又はオーディオ特徴を含むステップと、
前記ターゲットショートビデオに対して前記ターゲットショートビデオのビデオフィンガープリント特徴を抽出するステップと、
前記特徴インデックスライブラリに基づいて、ビデオフィンガープリント特徴が前記ターゲットショートビデオにマッチングする候補ロングビデオを、前記ターゲットロングビデオとして検索するステップと、
を含む請求項１から４のいずれか一項に記載のビデオ推奨方法。
【請求項６】
前記特徴インデックスライブラリを取得するステップの前に、
複数の候補ロングビデオの画像コンテンツに基づいて、第１のキーフレームを抽出して、各候補ロングビデオの複数の第１のキーフレームを取得するステップと、
各候補ロングビデオの各第１のキーフレームに対して、前記第１のキーフレーム内の複数の局所的領域に基づいてそれぞれ画像特徴を抽出して、前記第１のキーフレームの画像特徴を取得するステップと、
複数の候補ロングビデオの各第１のキーフレームの画像特徴に基づいて、前記特徴インデックスライブラリを構築するステップと、
を含む請求項５に記載のビデオ推奨方法。
【請求項７】
前記ターゲットショートビデオに対して前記ターゲットショートビデオのビデオフィンガープリント特徴を抽出するステップが、
前記ターゲットショートビデオの画像コンテンツに基づいて、前記ターゲットショートビデオの複数の第２のキーフレームを抽出するステップと、
前記ターゲットショートビデオの各第２のキーフレームに対して、前記第２のキーフレームの画像特徴を前記ターゲットショートビデオのビデオフィンガープリント特徴として抽出するステップと、
を含む請求項５又は６に記載のビデオ推奨方法。
【請求項８】
前記特徴インデックスライブラリに基づいて、ビデオフィンガープリント特徴が前記ターゲットショートビデオにマッチングする候補ロングビデオを、前記ターゲットロングビデオとして検索するステップが、
前記特徴インデックスライブラリにおいて、前記ターゲットショートビデオにおける複数の第２のキーフレームの画像特徴に基づいて、画像特徴がマッチングする第１のキーフレームを検索して、各第２のキーフレームにマッチングするターゲット第１のキーフレームを取得するステップと、
同一候補ロングビデオに属する各ターゲット第１のキーフレームの再生時刻と、前記ターゲットショートビデオにおける各第２のキーフレームの再生時刻とに基づいて、各候補ロングビデオからターゲットロングビデオを決定するステップであって、前記ターゲットロングビデオの各ターゲット第１のキーフレームの再生時刻は、前記ターゲットショートビデオにおける各第２のキーフレームの再生時刻にマッチングするステップと、
を含む請求項５から７のいずれか一項に記載のビデオ推奨方法。
【請求項９】
ユーザが視聴するターゲットショートビデオを取得するように構成される取得モジュールと、
前記ターゲットショートビデオのビデオフィンガープリント特徴と候補ロングビデオのビデオフィンガープリント特徴とに基づいて、前記候補ロングビデオから、前記ショートビデオが切り取られたターゲットロングビデオを認識するように構成される認識モジュールと、
ユーザに前記ターゲットロングビデオを推奨するように構成される推奨モジュールと、
を備えるビデオ推奨装置。
【請求項１０】
前記推奨モジュールが、具体的には、
前記ターゲットショートビデオを再生するための再生ページに前記ターゲットロングビデオの提示情報を表示するように構成され、前記提示情報が、前記ターゲットロングビデオの識別子、前記ターゲットロングビデオのリソースリンク、及び前記ターゲットロングビデオが属するロングビデオ集合の識別子のうちの少なくとも一つを含む請求項９に記載のビデオ推奨装置。
【請求項１１】
前記推奨モジュールが、
ユーザが前記ターゲットロングビデオの提示情報に対してターゲット操作を実行することが検出された場合、前記ターゲットロングビデオを再生するように、前記ターゲットロングビデオを再生するための再生ページを表示するように構成される請求項１０に記載のビデオ推奨装置。
【請求項１２】
前記推奨モジュールが、具体的には、
前記再生ページに前記ターゲットショートビデオをフルスクリーンモードで再生する場合、前記再生ページにフローティングコントロールを表示するように構成され、前記フローティングコントロールは、前記ターゲットロングビデオの提示情報を表示し、ユーザが実行したターゲット操作に応答するように構成され、
前記再生ページに一部の表示領域を用いて前記ターゲットショートビデオを再生する場合、前記再生ページに別の一部の表示領域を用いて前記提示情報を表示するように構成される請求項１０又は１１に記載のビデオ推奨装置。
【請求項１３】
前記認識モジュールが、
複数の候補ロングビデオのビデオフィンガープリント特徴を含む特徴インデックスライブラリを取得するように構成される取得ユニットであって、前記ビデオフィンガープリント特徴は、画像特徴及び/又はオーディオ特徴を含む取得ユニットと、
前記ターゲットショートビデオに対して前記ターゲットショートビデオのビデオフィンガープリント特徴を抽出するように構成される抽出ユニットと、
前記特徴インデックスライブラリに基づいて、ビデオフィンガープリント特徴が前記ターゲットショートビデオにマッチングする候補ロングビデオを、前記ターゲットロングビデオとして検索するように構成される検索ユニットと、
を備える請求項９から１２のいずれか一項に記載のビデオ推奨装置。
【請求項１４】
前記装置が、
複数の候補ロングビデオの画像コンテンツに基づいて、第１のキーフレームを抽出して、各候補ロングビデオの複数の第１のキーフレームを取得し、
各候補ロングビデオの各第１のキーフレームに対して、前記第１のキーフレーム内複数の局所的領域に基づいてそれぞれ画像特徴を抽出して、前記第１のキーフレームの画像特徴を取得し、
複数の候補ロングビデオの各第１のキーフレームの画像特徴に基づいて、前記特徴インデックスライブラリを構築するように構成される構築モジュールを備える請求項１３に記載のビデオ推奨装置。
【請求項１５】
前記抽出ユニットが、具体的には、
前記ターゲットショートビデオの画像コンテンツに基づいて、前記ターゲットショートビデオの複数の第２のキーフレームを抽出し、
前記ターゲットショートビデオの各第２のキーフレームに対して、前記第２のキーフレームの画像特徴を前記ターゲットショートビデオのビデオフィンガープリント特徴として抽出するように構成される請求項１３又は１４に記載のビデオ推奨装置。
【請求項１６】
前記検索ユニットが、具体的には、
前記特徴インデックスライブラリにおいて、前記ターゲットショートビデオにおける複数の第２のキーフレームの画像特徴に基づいて、画像特徴がマッチングする第１のキーフレームを検索して、各第２のキーフレームにマッチングするターゲット第１のキーフレームを取得し、
同一候補ロングビデオに属する各ターゲット第１のキーフレームの再生時刻と、前記ターゲットショートビデオにおける各第２のキーフレームの再生時刻とに基づいて、各候補ロングビデオからターゲットロングビデオを決定するように構成され、前記ターゲットロングビデオの各ターゲット第１のキーフレームの再生時刻は、前記ターゲットショートビデオにおける各第２のキーフレームの再生時刻にマッチングする請求項１３から１５のいずれか一項に記載のビデオ推奨装置。
【請求項１７】
メモリと、プロセッサと、メモリに記憶され、プロセッサで実行可能なコンピュータプログラムと、を備えるコンピュータ機器であって、
前記プロセッサが前記プログラムを実行する場合に、請求項１から８のいずれか一項に記載のビデオ推奨方法を実現するコンピュータ機器。
【請求項１８】
コンピュータプログラムが記憶されている非一時的なコンピュータ読み取り可能な記憶媒体であって、
当該プログラムがプロセッサによって実行される場合に、請求項１から８のいずれか一項に記載のビデオ推奨方法が実現される非一時的なコンピュータ読み取り可能な記憶媒体。
【請求項１９】
コンピュータプログラム製品であって、
前記コンピュータプログラム製品における命令がプロセッサによって実行される場合に、請求項１から８のいずれか一項に記載のビデオ推奨方法が実行されるコンピュータプログラム製品。